(57)【要約】【課題】  器具本体の防水性能を確保するとともに、施工後に配線の電気特性等を確認する際、器具の取り外しなどの作業をすることなしに点検が可能な埋め込み型照明器具を提供する。【解決手段】  防水箱形の器具本体１が開口部３、鍔部５、電線挿通口７を形成している。接続ボックス２は、器具本体１に設けられ、電線挿通口７を挿通した内部電線６と外部電線８とを防水結線する結線部１９が配置される。蓋１３は開口部５を防水密閉するとともに開口部３より透光できる透光性部材を有する。電線挿通口７は、外壁１ａの外側から内側に水が浸入しないように防水構造とし、鍔部５は、接続ボックス２内の外部電線８と内部電線６との防水結線が見える孔２０を有し、蓋１３は孔２０を塞ぐ塞ぎ部を有する。【選択図】        図１
2006318846.tif 000002
【特許請求の範囲】
【請求項１】
開口部を有し、前記開口部に設けられた鍔部を有し、光源用の内部電線を挿通する電線挿通口を外壁に形成した防水箱形の器具本体と、
前記鍔部および前記外壁を外殻の一部として前記器具本体に設けられ、前記電線挿通口を挿通した前記内部電線と外部電線とを防水結線する結線部が内部に配置される接続ボックスと、
前記開口部を防水密閉するとともに前記開口部より透光できるように少なくとも一部を透光性材料により形成した蓋とを備え、
前記電線挿通口は、前記外壁の外側から内側に水が浸入しないように防水する防水構造を有し、    
前記鍔部は、前記接続ボックス内の前記結線部が見える孔を有し、
前記蓋は、前記孔を塞ぐ塞ぎ部を有する埋め込み型照明器具。
【請求項２】
前記開口部は垂直方向の内周面を有し、前記蓋は前記内周面に嵌合する垂直方向の外周面を有し前記内周面と前記外周面との間にパッキンを挿入している請求項１記載の埋め込み型照明器具。
【請求項３】
前記孔は前記外部電線と前記内部電線の防水結線が施せるように手指が挿入できる大きさを有する請求項１または請求項２記載の埋め込み型照明器具。
【発明の詳細な説明】
【技術分野】
【０００１】
この発明は、例えば地中などへの埋め込み型照明器具に関するものである。
【背景技術】
【０００２】
第１の従来例は図７に示すように、器具本体１００の外壁に設けられた電線挿通口１０１より外部電線１０２を引き込み、器具本体１００の内部で内部電線１０３と結線しており、施工時に結線部１０４が器具本体１００と一体で埋設される。内部電線１０３はランプソケット１０５に接続され、ランプソケット１０５に装着された光源１０６に電力を供給する。１０７は反射板、１０８は器具本体１００の開口部を液密に塞ぐ透光性の蓋である。
【０００３】
第２の従来例（たとえば特許文献１参照）は、光源収納ケース内に防水ケースを設けた二重構造とし、防水ケース内に光源などを配置している。
【特許文献１】特開２０００−３１９８３０公報
【発明の開示】
【発明が解決しようとする課題】
【０００４】
第１の従来例は、電気配線および電気特性の各点検を器具本体１００の内部で行っていたが、現場で用意された外部電線１０２の種類、サイズ、および施工品質レベルにより、外壁の電線挿通口１０１における防水性能が保たれず、器具本体１００内が浸水し不具合を引き起こしていた。
【０００５】
第２の従来例は光源の交換や、外部配線と内部配線の結線の点検などを、防水ケースを取り出して行う必要があるため作業性が悪い。
【０００６】
したがって、この発明の目的は、施工時の結線部が器具と一体で埋設される場合に、器具本体の防水性能を確保するとともに、施工後に配線の電気特性等を確認する際、器具の取り外しなどの作業をすることなく点検が可能な埋め込み型照明器具を提供することである。
【課題を解決するための手段】
【０００７】
この発明の埋め込み型照明器具は、防水箱形の器具本体が開口部を有し、前記開口部に設けられた鍔部を有し、さらに光源用の内部電線を挿通する電線挿通口を外壁に形成している。接続ボックスは、前記鍔部および前記外壁を外殻の一部として前記器具本体に設けられ、前記電線挿通口を挿通した前記内部電線と外部電線とを防水結線する結線部が内部に配置される。蓋は前記開口部を防水密閉するとともに前記開口部より透光できるように少なくとも一部を透光性材料により形成している。前記電線挿通口は、前記外壁の外側から内側に水が浸入しないように防水する防水構造を有し、前記鍔部は、前記接続ボックス内の前記外部電線と前記内部電線との防水結線が見える孔を有し、前記蓋は、前記孔を塞ぐ塞ぎ部を有する。
【０００８】
上記構成において、前記開口部は垂直方向の内周面を有し、前記蓋は前記内周面に嵌合する垂直方向の外周面を有し前記内周面と前記外周面との間にパッキンを挿入している。
【０００９】
上記構成において、前記孔は前記外部電線と前記内部電線の防水結線が施せるように手指が挿入できる大きさを有する。
【発明の効果】
【００１０】
この発明の埋め込み型照明器具によれば、器具本体の電線挿通口は内部電線が挿通され、内部電線と外部電線は接続ボックス内で防水結線されるため、器具本体の内部は外部電線の種類、サイズおよび防水レベル等の影響を受けることなく防水することができ、安定した防水性能を保つことができる。しかも鍔部に設けた孔を通して防水結線の状態を確認することができるため、器具本体を例えば地中から取り出して点検する必要がないので作業容易である。また孔は蓋で閉じることができるため器具本体の内部を点検する際に同時に防水結線の点検が可能であるとともに、構成を簡単にできる。
【発明を実施するための最良の形態】
【００１１】
この発明の第１の実施の形態を図１から図４により説明する。すなわち、この地中埋め込み型照明器具は、器具本体１に接続ボックス２を外付けしている。
【００１２】
器具本体１は防水箱形であり、略円錐台形筒状の外壁１ａの下端の開口部を底板２１で閉じボルト・ナットなどの固定具２２で固定し、外壁１ａの上端に開口部３を形成している。開口部３は垂直な内周面３ａにより形成されその中間に段部３ｂを形成している。また開口部３の内周面３ａの上端に連続して開口部３の外側に鍔部５を形成し、鍔部５の外周に垂直部１５を立設している。鍔部５には例えばねじ孔などの複数の蓋取付部１６が形成されるとともに、鍔部５の所定位置に点検用の孔２０を形成している。孔２０には網を着脱可能または固定して取付けている。また器具本体１の外壁１ａに光源用の内部電線６を内部から外部へ挿通する電線挿通口７を形成し、電線挿通口７は内部電線６を挿通した状態で外壁１ａの外部から内部に水が浸入しないように防水構造にしている。器具本体１内において内部電線６のうち２本はソケット台１０に支持されたランプソケット９に接続され、１本はアースされている。ランプソケット９に光源１１が装着されている。光源１１は開口部３の中心を通る鉛直線上で器具本体１の底板２１側に位置し、反射板１２が光源１１の背面側に配置されて開口部３に向けて光源１１の光を反射するようにしている。この器具本体１は開口部３が地面４より露出するように器具本体１が地面４下に埋め込まれて使用される。
【００１３】
接続ボックス２は、鍔部５の孔２０のある部分および外壁１ａの一部を外殻の一部とし、これらに略コ字形の側壁部２ａの下端および両端が連接され、側壁部２ａの上端と鍔部５とで形成される開口をカバー２ｂで塞ぎ、これにより器具本体１の鍔部５の近傍に接続ボックス２を外付けしている。接続ボックス２内には、電線挿通口７を挿通して器具本体１の外に引き出された内部電線６と、外部電線８とを防水結線する結線部１９を有している。この結線部１９はカバー２ｂを開いて結線することができる。また結線後カバー２ｂを閉じた後は、結線部１９を鍔部５の孔２０より見ることができ、孔２０を通して結線部１９を点検することができる。外部電線８は地中に埋設された電線管２４に通され、電線管２４の端部が接続ボックス２に接続されて、外部電線８を接続ボックス２内に引き込んでいる。
【００１４】
蓋１３は、鍔部５に被さる天板部１３ａと、天板部１３ａの中央穴に設けられた透光性部材１３ｂとで構成されている。天板部１３ａの下面には開口部３の内周面３ａに対向する垂直方向の外周面を有する筒状の嵌合部１４を突出し、その外周面にパッキン１７が取付けられている。パッキン１７は嵌合部１４の端面に延出して、蓋１３を閉じたときに段部３ｂに密接する部分と開口部３の内周面３ａに密接する部分例えばリブを有する。これにより防水がより一層確実になる。天板部１３ａには取付部１６に取付けるためのねじなどの取付具の挿入穴１８を形成し、また蓋１３を閉じたときに孔２０を塞ぐ塞ぎ部１３ｃを一部に有する。
【００１５】
蓋１３を閉じた状態で光源１１の光は開口部３および透光性部材１３ｂを通して外部に放射されるとともに孔２０は塞ぎ部１３ｃで閉じられる。ランプ交換や保守点検は、蓋１３を開き、開口部３より反射板１２を外して行うことができると同時に、孔２０を通して接続ボックス２内の結線部１９を点検することができる。この場合、例えば孔２０から手を入れ結線部１９を孔近くまで引き出して電気的導通を調べたり、あるいは導通チェック工具を孔２０から挿入するなどして、施工後や運用中における電気特性の確認を容易に行うことが可能である。
【００１６】
その結果、この実施の形態によれば、施工後に結線の確認や、配線の電気特性等の確認などの点検が、器具の取り外しなどの作業をすることなしに可能となる。  
【００１７】
また、器具本体１内に外部電線８が引き込まれていないため、防水性能において、外部電線８の種類、サイズや施工のレベルに依存することがないので、安定した防水性能を確保することができ、防水性の高い器具構造が実現される。さらに開口部３付近に結線部１９を配置することで接続ボックス２の奥深くまで手を入れることなく容易に点検および結線が行える。
【００１８】
この発明の第２の実施の形態を図５により説明する。この地中埋め込み型照明器具は、接続ボックス２の側壁部２ａを器具本体１の外周を包囲する筒状に形成し、その上端部と鍔部５との間の開口をカバー２ｂで閉じている。結線部１９の結線は、第１の実施の形態と同様に、カバー２ｂを開いて結線部１９を引き出し、外部電線８と内部電線６とを防水結線し、カバー２ｂから収納する。この実施の形態では接続ボックス２の開口が大きくなるため、作業容易になる。
【００１９】
この発明の第３の実施の形態を図６により説明する。この地中埋め込み型照明器具は、第２の実施の形態において接続ボックス２を地面に達する高さに形成するとともに、鍔部５を接続ボックス２の外径程度の大きさに拡張し、その垂直部１５の下側に接続ボックス２の上端を位置し、鍔部５で接続ボックス２の上端開口を塞いでいる。これによりカバー２ｂは省略することができる。または孔２０は接続ボックス２の内部で外部電線８と内部電線６の防水結線が施せるように手指が挿入できる大きさに形成している。      
【００２０】
なお、この発明において、鍔部５は開口部３の外周の全周に設けたが、外周の一部に設けてもよい。光源１１は例えばＨＩＤランプなどが用いられる。パッキン１７は嵌合部１４の端面と段部３ｂとの間のみ、または内周面３ａと嵌合部１４の外周面との間のみに設けられても、防水密閉することが可能である。
【図面の簡単な説明】
【００２１】
【図１】この発明の第１の実施の形態の概略断面図である。
【図２】その半平面図である。
【図３】蓋を開いた状態の斜視図である。
【図４】地中に埋設した状態の半断面側面図である。
【図５】第２の実施の形態の半断面側面図である。
【図６】第３の実施の形態の半断面側面図である。
【図７】従来例の半断面側面図である。
【符号の説明】
【００２２】
１    器具本体  
２    接続ボックス
３    開口部
４    地面
５    鍔部
６    内部電線
７    電線挿通口
８    外部電線
１３    蓋
１３ｃ  塞ぎ部
１７    パッキン
１９    結線部
２０    孔
【図１】
2006318846.tif 000003
【図２】
2006318846.tif 000004
【図３】
2006318846.tif 000005
【図４】
2006318846.tif 000006
【図５】
2006318846.tif 000007
【図６】
2006318846.tif 000008
【図７】
2006318846.tif 000009